(57)【特許請求の範囲】
【請求項１】
両端に一対の電極を封着し内部に放電媒体を封入してなる発光管と；
絶縁性基板、絶縁性基板の一方の面に装着されたパルス発生手段、絶縁性基板の他方の面に実装されて発光管の発熱に応動して開路する熱応動スイッチおよび絶縁基板の一方の面に配設されてパルス発生手段の動作を所定時間後に停止させるパルス停止手段を備えるとともに、パルス発生手段、熱応動スイッチおよびパルス停止手段が直列回路を形成した始動装置と；
発光管および始動装置を内部に収納する外管と；
を具備していることを特徴とする高圧放電ランプ。
【請求項２】
パルス停止手段は、絶縁性基板に支持されたヒータからなることを特徴とする請求項１記載の高圧放電ランプ。
【請求項３】
パルス発生手段は、自己発熱形熱応動スイッチであり；
パルス停止手段は、絶縁性基板を挟んで熱応動スイッチとほぼ対向するとともに自己発熱形熱応動スイッチを加熱するように配設されたヒータからなる；
ことを特徴とする請求項１または２記載の高圧放電ランプ。
【請求項４】
ヒータから放射される熱をパルス発生手段側へ反射する反射手段を具備していることを特徴とする請求項２または３記載の高圧放電ランプ。
【請求項５】
照明装置本体と；
照明装置本体に装着された請求項１ないし４のいずれか一記載の高圧放電ランプと；
を具備していることを特徴とする照明装置。
【発明の詳細な説明】
【０００１】
【発明の属する技術分野】
本発明は、始動時にパルス電圧を発生する始動装置を備えた高圧放電ランプおよびこれを用いた照明装置に関する。
【０００２】
【従来の技術】
高圧ナトリウムランプなどの高圧放電ランプを、２次開放電圧のなるべく低い小形の安定器を用いて始動するためには、パルス電圧を発生して発光管に印加して放電媒体の絶縁を破壊すればよい。このため、高圧放電ランプに始動装置を内蔵したものが従来から使用されている。
【０００３】
従来の高圧放電ランプに内蔵の始動装置は、自己発熱形熱応動スイッチを備えていて、安定器の２次開放電圧を印加すると、自己発熱形熱応動スイッチが自己発熱により温度上昇し、やがて熱応動により当該スイッチが閉路する。閉路すると、安定器を介して電流が流れる。一方、自己発熱形熱応動スイッチは、自己発熱が停止するから、温度が再び低下しだして、やがて熱応動により当該スイッチが開路する。その瞬間に、安定器に通流していた電流が遮断された際の過渡現象によってパルス電圧が発生して発光管の両端に印加され、高圧放電ランプの始動が促進されるように構成されている。
【０００４】
しかし、発光管が不良などのためにパルス電圧を印加しても始動しないときに、パルス電圧が連続して発生すると、安定器や配線の絶縁が破壊され、それらを焼損するなどの不都合が生じる。
【０００５】
そこで、始動時に所定時間だけパルス電圧を発生したら、自動的にパルス電圧の発生を停止するように構成している。すなわち、パルス停止手段として、始動装置中に直列にヒータを挿入し、このヒータの発熱を自己発熱形熱応動スイッチに作用させるようにしている。始動装置が動作して所定時間パルス電圧を発生すると、その間発熱を継続していたパルス停止手段のヒータの発熱量が所定値に達して、この熱を受ける自己発熱形熱応動スイッチの温度が所定値まで上昇するために、もはや開閉動作を行うことができなくなり、閉路された状態を維持する。したがって、始動開路は以後パルス電圧を発生することができない。
【０００６】
ところで、高圧放電ランプが始動したら、始動用のパルス電圧は不要であるから、従来の始動装置においては、さらに発光管の発熱に応動して始動装置を開放する熱応動スイッチを配設している。
【０００７】
従来の熱応動スイッチは、そのバイメタル可動接点の基端部を発光管を支持する導体枠の一方の導体枠片に装着し、固定接点を他方の導体枠片に固着したセラミックス製の絶縁基板に装着してなる構造であった。また、他方の導体枠片には、自己発熱形熱応動スイッチを支持させていた。
【発明が解決しようとする課題】
【０００８】
熱応動スイッチは、発光管が始動可能な温度まで冷却されてから、始動装置を閉路しなければならない。しかし、熱応動スイッチは、発光管が所定温度に冷却されたら、速やかに始動装置を閉路しなければならない。たとえば、発光管が所定温度まで冷却されてから、３０分経過してから熱応動スイッチが閉路するのでは実用上問題がある。
【０００９】
しかしながら、従来の熱応動スイッチは、上述したように可動接点と固定接点が異なる導体枠片に装着されていたので、導体枠の変形などのために、可動接点と固定接点との間の距離がばらつきやすかった。
【００１０】
このため、熱応動スイッチの温度特性すなわち消灯後の始動時間のばらつきを無視できなかった。
【００１１】
また、自己発熱形熱応動スイッチを放射熱により加熱するように設定している筈のヒータの熱が導体枠を介して自己発熱形熱応動スイッチに伝導してしまい、所定時間前にパルス発生動作を停止してしまうこともある。
【００１２】
さらに、自己発熱形熱応動スイッチを加熱する目的のヒータの熱の遮蔽が悪くて、発光管の熱に応動すべき熱応動スイッチを加熱して始動装置を開路させてしまうこともあった。
【００１３】
本発明は、発光管の熱に応動する熱応動スイッチの温度特性のばらつきが少ない始動装置を備えた高圧放電ランプおよびこれを用いた照明装置を提供することを主たる目的とする。
【００１４】
本発明は、パルス発生手段として自己発熱形熱応動スイッチを用い、パルス停止手段としてヒータを用いた場合に、ヒータの熱の遮蔽を良好にして始動装置の誤動作を防止した高圧放電ランプおよびこれを用いた照明装置を提供することを副次的な目的とする。
【００１５】
【課題を達成するための手段】
請求項１の発明の高圧放電ランプは、両端に一対の電極を封着し内部に放電媒体を封入してなる発光管と；絶縁性基板、絶縁性基板の一方の面に装着されたパルス発生手段、絶縁性基板の他方の面に実装されて発光管の発熱に応動して開路する熱応動スイッチおよび絶縁基板の一方の面に配設されてパルス発生手段の動作を所定時間後に停止させるパルス停止手段を備えるとともに、パルス発生手段、熱応動スイッチおよびパルス停止手段が直列回路を形成した始動装置と；発光管および始動装置を内部に収納する外管と；を具備していることを特徴としている。
【００１６】
本発明および以下の各発明において、特に指定しない限り用語の定義および技術的意味は次による。
【００１７】
高圧放電ランプは、高圧ナトリウムランプ、メタルハライドランプなどの高圧放電ランプ全般に適用することができる。したがって、発光管はその材質および封入する放電媒体を高圧放電ランプの種類に応じて適宜選択するものとする。
【００１８】
始動装置は、高圧放電ランプに印加される電圧により作動する。したがって、多くの場合、そのパルス発生手段、熱応動手段およびパルス停止手段の直列回路が発光管と並列接続される。始動装置のパルス発生手段は、絶縁性基板の一方の面に装着され、電圧の印加により作動を開始して、所定時間の間パルス電圧を発生するように作用する。すなわち、パルス発生手段は、スイッチ要素を含み、当該スイッチ要素が閉路から開路する瞬間に安定器に通流していた電流が遮断されることに伴う過渡現象によりパルス電圧を発生する。このパルス電圧は発光管の両端に印加されてその始動を促進する。パルス発生手段は、上記のようにパルス電圧を発生すれば、どのような構造であってもよい。
【００１９】
発光管の熱に応動する熱応動スイッチは、発光管が始動して温度上昇すると、これに応動して開路するものであって、かつ、前記絶縁性基板の他方の面に実装されているのであれば、どのような構造であってもよい。例えば、熱応動スイッチは、前記絶縁性基板、この絶縁性基板の他方の面上に配設された固定接点、および固定接点に接触しているが発光管の発熱に応動して固定接点から離間するように上記絶縁性基板の他方の面に配設されたバイメタル可動接点を含む構成態様を採用することができる。
【００２０】
前記絶縁性基板は、高圧放電ランプの作動により発生する熱に対する耐熱性を有していて、かつ、不純ガスを放出しにくければ、どのような材料であってもよい。一般的には、セラミックスが好適である。セラミックスとしては、アルミナセラミックスが経済的に優れている。
【００２１】
上記の構成態様において、バイメタル可動接点は、発光管の温度が低いときには固定接点に接触しているため、熱応動スイッチは閉路している。高圧放電ランプが始動、点灯することによって、発光管の温度が所定値に達すると、バイメタルが変位してバイメタル可動接点は、固定接点から離れるため、熱応動スイッチは開路する。これにより、始動装置は動作を停止する。したがって、以後高圧放電ランプの点灯中はこの状態を維持する。
【００２２】
高圧放電ランプが消灯すると、その直後は発光管の温度がまだ高いので、熱応動スイッチは、バイメタル可動接点が固定接点から離間していて開路状態であるが、やがて発光管の温度が低下するにしたがってバイメタルが変位していき、温度が所定値に達すると、バイメタル可動接点が固定接点に接触して、熱応動スイッチが閉路する。これにより、始動装置は作動を開始してパルス電圧を発生し、発光管に印加するので、発光管は再び始動する。
【００２３】
パルス停止手段は、前記絶縁性基板の一方の面に配設されていて、始動回路の動作開始後所定時間経過した際にパルス発生手段の動作を停止させるのであれば、どのような構造であってもよい。
【００２４】
そうして、本発明においては、パルス発生手段、発光管の熱に応動する熱応動スイッチおよびパルス停止手段がそれぞれ共通の絶縁基板に配設されるとともに、熱応動スイッチとパルス停止手段とが絶縁基板を挟んでその両面側に実装されているので、部品点数が少なく、組立も容易である。したがって、本発明は、コスト低減に効果的である。
【００２５】
請求項２の発明の高圧放電ランプは、請求項１記載の高圧放電ランプにおいて、パルス停止手段は、絶縁性基板に支持されたヒータからなることを特徴としている。
【００２６】
本発明においては、絶縁性基板は発光管の熱に応動する熱応動スイッチおよびパルス停止手段の両者に対して基板を提供するから、部品点数が少なく、組立も容易である。したがって、本発明は、コスト低減に効果的である。
【００２７】
請求項３の発明の高圧放電ランプは、請求項１または２記載の高圧放電ランプにおいて、パルス発生手段は自己発熱形熱応動スイッチであり；パルス停止手段は、絶縁性基板を挟んで熱応動スイッチとほぼ対向するとともに自己発熱形熱応動スイッチを加熱するように配設されたヒータからなる；ことを特徴としている。
【００２８】
「自己発熱形熱応動スイッチ」とは、通電に伴い発熱する機能を備え、かつ、その発熱に応動して開閉する機能を備えているスイッチを意味する。通電以前には閉路していて、通電開始に伴って発熱し、所定温度に達したときに開路する構成であることを許容する。このような構成の具体的例としては、バイメタル可動接点の冷却時にヒータと直列接続してヒータに通電して発熱させ、その熱を受けてバイメタル可動接点が所定温度に達したときにヒータとの直列接続を遮断するとともに、固定接点に接触して安定器に所定電流が通流し、やがて冷却すると、固定接点から離間して安定器に通流していた電流が遮断されるために、その際に安定器からパルス電圧を発生する構造を採用することができる。
【００２９】
また、通電に伴い発熱して閉路し、閉路に伴って冷却して所定温度に達したときに開路する構成であるもとも許容する。このような構成の具体例としては、スイッチスタート形蛍光ランプの始動用として使用される点灯管と同様ないしほぼ同様な点灯管を採用することができる。この場合、点灯管は、電圧が印加されると、グロー放電を開始して、発熱し、所定温度に達したときに内蔵しているバイメタル電極が固定電極に接触する。このとき、安定器に所定電流が通流するが、点灯管の両電極の接触により、グロー放電が停止するから、冷却してやがてバイメタル電極は固定電極から離間すると、安定器に通流していた電流が遮断され、その際にパルス電圧が発生する。
【００３０】
上記のように、いずれの構成においても、自己発熱形熱応動スイッチが閉路状態から開路した瞬間に安定器からパルス電圧を発生することができる。
【００３１】
ところで、パルス停止手段は、絶縁性基板を挟んで熱応動スイッチとほぼ対向する位置に配設されるヒータからなるので、自己発熱形熱応動スイッチに対して熱を与えて一定時間の間パルス電圧を発生したら、自己発熱形熱応動スイッチがパルス発生手段のヒータによる加熱で温度上昇するために、パルス電圧発生を停止させることができる。
【００３２】
そうして、本発明にあっては、パルス停止手段のヒータが絶縁性基板を介して発光管の熱に応動する熱応動スイッチとほぼ対向するために、両者の間は適当に遮熱され、したがってヒータが熱応動スイッチを誤動作させることがない。
【００３３】
請求項４の発明の高圧放電ランプは、請求項２または３記載の高圧放電ランプにおいて、ヒータから放射される熱をパルス発生手段側へ反射する反射手段を具備していることを特徴としている。
【００３４】
本発明は、上記反射手段を備えているため、自己発熱形熱応動スイッチの加熱条件が一定になりやすくなり、これによりパルス停止までの時間のばらつきが少なくなる。
【００３５】
反射手段は、反射性の金属板、白色系のセラミックス板などにて構成することができる。
【００３６】
また、反射手段は導体枠に固定することができる。
【００３７】
請求項５の発明の照明装置は、照明装置本体と；照明装置本体に装着された請求項１ないし４のいずれか一記載の高圧放電ランプと；を具備していることを特徴としている。
【００３８】
「照明装置」とは、高圧放電ランプの発光を何らかの目的で用いるように構成された装置を意味する。したがって、照明、光投射および光化学反応など各種用途に幅広く適応する。
【００３９】
照明用としては、屋内用および屋外用の各種照明器具に適応する。
【００４０】
光投射用としては、液晶プロジェクタ、オーバーヘッドプロジェクタや広告・宣伝または標識などの表示体への投光用に適応する。
【００４１】
光化学反応用としては、光硬化性樹脂・光乾燥性インキの処理、合成樹脂の合成などに適応する。
【００４２】
【発明の実施の形態】
以下、本発明の実施の形態を図面を参照して説明する。
【００４３】
図１は、本発明の高圧放電ランプの第１の実施形態を示す正面図である。
【００４４】
図２は、同じく要部拡大正面図である。
【００４５】
図３は、同じく要部拡大側面図である。
【００４６】
図４は、同じく回路図である。
【００４７】
本実施形態は、始動装置内蔵形の高圧ナトリウムランプである。
【００４８】
図において、１は発光管、２は始動装置、３は近接導体、４は導体枠、５は導体バンド、６は外管、７はフレアステム、８は口金である。
【００４９】
発光管１は、透光性アルミナセラミックスからなるチューブを主体とする放電容器の両端に一対の電極を封着するとともに、内部にナトリウムアマルガムとキセノンとを封入して構成されている。この発光管１は、後述する導体枠４に上端を導体バンド５を介して支持されるとともに、図において上部の電極は導体枠４に接続されている。発光管１の下部の電極は導体９の一端に機械的に支持されると同時に電気的に接続されている。
【００５０】
始動装置２は、パルス発生手段２ａ、発光管１の熱に応動する熱応動スイッチ２ｂおよびパルス停止手段２ｃを含み、発光管１と並列接続された直列回路からなる。
【００５１】
パルス発生手段２ａは、自己発熱形熱応動スイッチから構成されている。さらに、本実施形態においては、自己発熱形熱応動スイッチは、点灯管からなる。
【００５２】
また、パルス発生手段２ａは、金属リング２ａ１により導体枠片４ｂに支持されている。
【００５３】
さらに、パルス発生手段２ａの一端は発光管１の下部の電極に接続され、他端は後述するパルス停止手段２ｃの他端に接続している。
【００５４】
発光管１に応動する熱応動スイッチ２ｂは、バイメタルスイッチからなり、絶縁性基板２ｂ１に装着されている。
【００５５】
また、熱応動スイッチ２ｂは、バイメタル可動接点２ｂ２および固定接点２ｂ３を含んでいる。
【００５６】
バイメタル可動接点２ｂ２は、絶縁性基板２ｂ１の上面に後述するボルト２ｂ１１を介して固定した支柱２ｂ２１、支柱２ｂ２１に基端部を溶接したバイメタル２ｂ２２、バイメタル２ｂ２２の先端に溶接した接点棒２ｂ２３からなる。
【００５７】
固定接点２ｂ３は、絶縁性基板２ｂ１に後述するボルト２ｂ１２を介して固定した支柱２ｂ３１に溶接されている。
【００５８】
また、固定接点２ｂ３は、バイメタル可動接点２ｂ２の接点棒２ｂ２３と直交するように配設されている。
【００５９】
パルス停止手段２ｃは、ヒータから構成されている。このヒータはパルス発生手段の自己発熱形熱応動スイッチの点灯管を加熱するような関係に配設されている。
【００６０】
また、パルス停止手段２ｃは、絶縁性基板２ｂ１の下面に複数のアンカーワイヤ２ｃ１の間にジグザグに吊下されたタングステン製の１重コイルフィラメントによりヒータを構成している。そして、アンカーワイヤ２ｃ１は、その上端が絶縁性基板２ｂ１に固定されている。
【００６１】
さらに、パルス停止手段２ｃの一端は、後述するボルト２ｂ１２を介して発光管１の熱に応動する熱応動スイッチ２ｂの他端に接続し、他端は導体２ｃ２を介して前述したようにパルス発生手段２ａの一端に接続している。
【００６２】
絶縁性基板２ｂ１は、その上に互いに離間して固定された一対のボルト２ｂ１１、２ｂ１２を植設して備え、一方のボルト２ｂ１１を線材２ｂ１３を介して一方の導体枠片５ａに溶接により機械的に支持されているとともに、電気的に接続されている。他方のボルト２ｂ１２をパルス停止手段２ｃの一端に導体２ｃ３を介して接続している。
【００６３】
近接導体３は、一方の導体枠片４ａの上部の電極近傍に対向する位置に一端が溶接され、中間部が折曲されて発光管１に近接して発光管１の長手方向に沿って下部の電極近傍まで延在し、再び導体枠片４ａの下部へ溶接されている。
【００６４】
導体枠４は、ほぼ平行な一対の導体枠片４ａ、４ｂを上下で一体に連結してなり、フレアステム７の一方の封着用導体７ａに接続して機械的に支持されている。
【００６５】
外管６は、発光管１、始動装置２および導体枠４などを内部に収納するもので、その先端部は気密に閉止され、基端部はフレアステム７により封止されている。そして、内部は真空に保持されている。
【００６６】
なお、１０は初期ゲッタで、外管６を封止後高周波磁界を作用させて加熱蒸発させることにより、外管６内の不純ガスを吸着して所要の真空度に保持する。図３においては初期ゲッタ１０の図示を省略している。
【００６７】
フレアステム７は、一対の封着用導体７ａ、７ｂを気密に導入していて、その他方の封着用導体７ｂは、導体９の下端を電気的に接続するとともに、機械的に支持している。結局、フレアステム７は、発光管１および始動装置２を導体枠４および導体９を介して外管６内の所定の位置に支持していることになる。
【００６８】
これらを外管６内に配設するに際しては、予めこれらをフレアステム７に装着してマウント組立体を構成し、このマウント組立体を外管６内に挿入して、フレアステム７を外管６に封着し、最後に口金８を外管６の封着端に装着して高圧ナトリウムランプを組み立てる。そして、封着用導体７ａ、７ｂを口金８の両端子に接続している。  図４を参照して点灯回路を説明する。
【００６９】
図において、１１は交流電源、１２は安定器、１３は高圧放電ランプである。
【００７０】
交流電源１１は２００Ｖで、安定器１２の電源端子に接続する。
【００７１】
安定器１２は、チョークコイルを主体として構成され、その出力端子は配線を介して高圧放電ランプ１３の口金に接続している。
【００７２】
高圧放電ランプ１３は、図１ないし図３に示す本発明の第１の実施形態のものである。したがって、図１ないし図３と同一符号は同一部分を示す。
【００７３】
そうして、口金８に安定器１２の出力電圧が印加されると、発光管１および始動装置２に当該電圧が印加される。発光管１はこの電圧印加では始動することができない。
【００７４】
これに対して、始動装置２は、熱応動スイッチ２ｂが冷却状態で閉路しているので、パルス発生手段２ａの点灯管の両端に電圧が印加される。パルス発生手段２ａの点灯管は電圧印加により、グロー放電を開始して発熱する。この発熱により、組み込まれているバイメタルが変位して、やがてパルス発生手段２ａは閉路する。パルス発生手段２ａの閉路により、安定器１２を通じて電流がパルス発生手段２ａに通流する。パルス発生手段２ａの点灯管が閉路すると、上記のようにして発熱が停止するから、暫くすると、冷却して再び開路する。この開路により、安定器１２を通流していた電流が遮断されるので、過渡現象によるパルス電圧が安定器１２に発生し、このパルス電圧は発光管１に印加される。このとき、パルス停止手段２ｃにおいては、始動回路を通流する電流により発熱するが、熱量が少ないため、発熱開始から所定時間の間はパルス発生手段２ａの点灯管には影響しない。
【００７５】
発光管１はパルス電圧の印加により、内部の放電媒体が絶縁破壊されて始動する。最初のパルス電圧で発光管１が始動しない場合には、点灯管の開路とともに再度グロー放電が発生し、発熱、閉路、冷却、開路の一連の回路動作によって再びパルス電圧が発生する。
【００７６】
通常は、１０回以下のパルス電圧印加で発光管１は始動するが、発光管の不良により、なお始動しないときには、パルス停止手段２ｃの発熱が相当量に達して、パルス発生手段２ａの点灯管を十分に加熱することになり、このため点灯管は閉路状態を維持する。したがって、パルス発生手段２ａは、パルス発生動作を行うことができない。
【００７７】
図５は、本発明の高圧放電ランプの第２の実施形態を示す要部拡大正面図である。
【００７８】
図６は、同じく要部拡大側面図である。
【００７９】
図において、図１および図２と同一部分については同一符号を付して説明は省略する。
【００８０】
本実施形態は、パルス停止手段２ｃのヒータから放射する熱を始動装置２のパルス発生手段２ａを構成する自己発熱形熱応動スイッチであるところの点灯管側へ反射する反射手段１４を配設した点が異なる。
すなわち、図示の実施形態は、絶縁性基板２ｂ１との間にパルス停止手段２ｃを挟むようにステンレス板製のほぼ半円形状をなす反射手段１４を配設したもので、反射手段１４の両側部に起立部１４ａ、１４ａを形成して、これを導体枠４に溶接することによって固定している。以上説明した本実施形態を試作品１とする。
【００８１】
次に、図示しないが、上記反射手段を２枚用意し、互いに位置を入れ替え重ねて、ほぼ円形になるように導体枠４に固定したものを試作品２として用意し、これら試作品１および試作品２のパルス停止時間について実測した結果を表１に、反射手段を備えない比較例と対比して示す。
【００８２】
【表１】
0003633246.tif 000002
表１から明かなように、反射手段１４を用いることにより、熱反射が行われて自己発熱形熱応動スイッチを効果的に加熱するために、パルス停止時間までの時間のばらつきが少なくなる。
【００８３】
また、反射手段の面積を大きくすることにより、さらにパルス停止時間を短縮することができる。
【００８４】
図７は、本発明の高圧放電ランプの第３の実施形態におけるパルス停止手段を示す正面図である。
【００８５】
本実施形態は、コイルフィラメントの支持が異なる。
【００８６】
図において、１５はセラミックス製の枠体、１６はタングステン製の１重コイルフィラメントである。
【００８７】
セラミックス製の枠体１５は、窓枠状をなすとともに上下対向する縁辺に、複数の切り込み１５ａを規則的に形成している。
【００８８】
コイルフィラメント１６は、切り込み１５ａに巻き付けることにより、枠体１５に装着している。
【００８９】
そうして、コイルフィラメント１６を巻き付けた枠体１５を外管内の所定の位置に配設して始動装置内に挿入する。
【００９０】
本実施形態によると、コイルフィラメントの組立が容易になり、また温度上昇しやすくなる。
【００９１】
図８は、本発明の照明装置の一実施形態におけるトンネル用の照明器具の断面図である。
【００９２】
図において、１３は高圧ナトリウムランプ、１７は照明装置本体である。
【００９３】
高圧ナトリウムランプ１３は、図４に示すのと同一仕様のものである。
【００９４】
照明装置本体１７は、箱体１７ａ、反射板１７ｂ、安定器１７ｃ、取付用耳１７ｄおよび透光製ガラス板１７ｅなどからなる。
【００９５】
箱体１７ａは、前面に投光開口１７ａ１を備えている。
【００９６】
反射板１７ｂは、箱体１７ａ内に収納され、投光開口１７ａ１に対設され、側面にランプ装着孔を形成している。したがって、高圧ナトリウムランプ１３は横向きに装着され、かつ点灯する。
【００９７】
安定器１７ｃは、箱体１７ａ内において、反射板１７ｂの背面側に配設されている。
【００９８】
取付用耳１７ｄは、箱体１ａの背面側に固着されている。
【００９９】
透光性ガラス板１７ｅは、その周囲をパッキング１７ｅ１を介して箱体１７ａの投光開口１７ａ１を防雨的に覆っている。
【０１００】
【発明の効果】
請求項１ないし４の各発明によれば、絶縁性基板の一方の面にパルス発生手段およびパルス停止手段を装着し、他方の面に熱応動スイッチを実装した始動装置を具備していることにより、発光管の熱に応動する熱応動スイッチの温度特性のばらつきが少ないのに加えて、部品点数が少なく、組立も容易で、コスト低減に効果的な高圧放電ランプを提供することができる。
【０１０１】
請求項２の発明によれば、加えてパルス停止手段は、絶縁性基板に支持されたヒータからなることにより、部品点数が少なく、組立も容易で、コスト低減に効果的な高圧放電ランプを提供することができる。
【０１０２】
請求項３の発明によれば、加えてパルス発生手段を自己発熱形熱応動スイッチにより構成するとともに、絶縁性基板を挟んで発光管の熱に応動する熱応動スイッチとほぼ対向し、かつ自己発熱形熱応動スイッチを加熱するように配設したヒータによってパルス停止手段を構成したことにより、ヒータの熱を絶縁性基板によって遮蔽して発光管の熱に応動する熱応動スイッチの誤動作を防止する高圧放電ランプを提供することができる。
【０１０３】
請求項４の発明によれば、加えてヒータから放射される熱をパルス発生手段側へ反射する反射手段を具備していることにより、パルス停止時間のばらつきが少ない高圧放電ランプを提供することができる。
【０１０４】
請求項５の発明によれば、請求項１ないし５の効果を有する照明装置を提供することができる。
【図面の簡単な説明】
【図１】本発明の高圧放電ランプの第１の実施形態を示す正面図
【図２】同じく要部拡大正面図
【図３】同じく要部拡大側面図
【図４】同じく回路図
【図５】本発明の高圧放電ランプの第２の実施形態を示す要部拡大正面図
【図６】同じく要部拡大側面図
【図７】本発明の高圧放電ランプの第３の実施形態におけるパルス停止手段を示す正面図
【図８】本発明の照明装置の一実施形態を示す断面図
【符号の説明】
１…発光管
２…始動装置
２ａ…パルス発生手段
２ａ１…金属リング
２ｂ…熱応動スイッチ
２ｂ１…絶縁性基板
２ｂ１１…ボルト
２ｂ１２…ボルト
２ｂ１３…線材
２ｂ２…バイメタル可動接点
２ｂ２１…支柱
２ｂ２２…バイメタル
２ｂ２３…接点棒
２ｂ３１…支柱
２ｂ３…固定接点
２ｃ…パルス停止手段
２ｃ１…アンカーワイヤ
３…近接導体
４…導体枠
４ａ…導体枠片
４ｂ…導体枠片
６…外管
７…フレアステム
７ａ…封着用導体
７ｂ…封着用導体
８…口金
９…導体
【図１】
0003633246.tif 000003
【図２】
0003633246.tif 000004
【図３】
0003633246.tif 000005
【図４】
0003633246.tif 000006
【図５】
0003633246.tif 000007
【図６】
0003633246.tif 000008
【図７】
0003633246.tif 000009
【図８】
0003633246.tif 000010